【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
日射遮蔽材を吊下支持し、一本の無端状の操作コードを操作して、クラッチユニットを介して昇降動作部を動作させることにより、前記日射遮蔽材を昇降可能とした日射遮蔽材昇降装置において、
前記クラッチユニットは、
前記操作コードの操作に基づいて回転される回転ドラムと、
前記昇降動作部を駆動する伝達ドラムと、
前記回転ドラムと伝達ドラムに形成された第一及び第二の係合手段と、
前記第一及び第二の係合手段に作用して、該第一及び第二の係合手段により前記回転ドラムの回転を前記伝達ドラムに伝達させるクラッチ部と
を備え、
前記クラッチ部を、前記回転ドラム及び伝達ドラムの軸方向に移動可能に設け、付勢手段の付勢力により、前記クラッチ部を前記回転ドラムの回転が前記伝達ドラムに伝達される位置に弾性的に保持して、前記第一及び第二の係合手段と前記クラッチ部との噛み込み時に前記付勢手段の付勢力に抗して前記回転ドラムを移動可能としたことを特徴とする日射遮蔽材昇降装置。
【請求項２】
前記第一の係合手段は、前記回転ドラムに設けた駆動係止歯とし、前記第二の係合手段は、前記伝達ドラムに設けた被動係止歯とし、前記クラッチ部は、軸方向に移動可能に支持されたクラッチドラムに形成された案内溝と、前記回転ドラムに形成され、前記案内溝に沿って移動するクラッチ凸部とで構成し、前記付勢手段により前記駆動係止歯と被動係止歯との噛み込み時に前記付勢手段の付勢力に抗して前記回転ドラムを移動可能としたことを特徴とする請求項１記載の日射遮蔽材昇降装置。
【請求項３】
第一及び第二の日射遮蔽材を吊下支持し、一本の無端状の操作コードを操作して、第一及び第二のクラッチユニットを介して第一及び第二の昇降動作部を動作させることにより、前記第一及び第二の日射遮蔽材を独立して昇降可能とした日射遮蔽材昇降装置において、
前記第一のクラッチユニットは、
前記操作コードの操作に基づいて回転される第一の回転ドラムと、
前記第一の昇降動作部を駆動する第一の伝達ドラムと、
前記第一の回転ドラムと第一の伝達ドラムに形成された第一及び第二の係合手段と、
前記第一及び第二の係合手段に作用して、該第一及び第二の係合手段により前記第一の回転ドラムの回転を前記第一の伝達ドラムに伝達させる第一のクラッチ部とを備え、
第一のクラッチ部は、前記操作コードの一方への操作に基づく第一の回転ドラムの回転力を前記第一の伝達ドラムに伝達可能とし、前記操作コードの他方への操作に基づく第一の回転ドラムの回転力を前記第一の伝達ドラムに伝達しないものであり、
前記第二のクラッチユニットは、
前記操作コードの操作に基づいて回転される第二の回転ドラムと、
前記第二の昇降動作部を駆動する第二の伝達ドラムと、
前記第二の回転ドラムと第二の伝達ドラムに形成された第一及び第二の係合手段と、
前記第一及び第二の係合手段に作用して、該第一及び第二の係合手段により前記第二の回転ドラムの回転を前記第一の伝達ドラムに伝達させる第二のクラッチ部とを備え、
第二のクラッチ部は、前記操作コードの他方への操作に基づく第二の回転ドラムの回転力を前記第二の伝達ドラムに伝達可能とし、前記操作コードの一方への操作に基づく第二の回転ドラムの回転力を前記第二の伝達ドラムに伝達しないものであり、
前記各クラッチ部を、前記各回転ドラム及び各伝達ドラムの軸方向に移動可能に設け、付勢手段の付勢力により、前記各クラッチ部を前記各回転ドラムの回転が前記各伝達ドラムに伝達される位置に弾性的に保持して、前記第一及び第二の係合手段と前記各クラッチ部との噛み込み時に前記付勢手段の付勢力に抗して前記各回転ドラムを移動可能としたことを特徴とする日射遮蔽材昇降装置。
【請求項４】
第一及び第二の日射遮蔽材を吊下支持し、一本の無端状の操作コードを操作して、第一及び第二のクラッチユニットを介して第一及び第二の昇降動作部を動作させることにより、前記第一及び第二の日射遮蔽材を独立して昇降可能とした日射遮蔽材昇降装置において、
前記第一のクラッチユニットは、
前記操作コードの操作に基づいて回転される第一の回転ドラムと、
前記第一の昇降動作部を駆動する第一の伝達ドラムと、
前記第一の回転ドラムの回転を前記第一の伝達ドラムに伝達させる第一のクラッチ部とから構成し、
第一のクラッチ部は、前記操作コードの一方への操作に基づく第一の回転ドラムの回転力を前記第一の伝達ドラムに伝達可能とし、前記操作コードの他方への操作に基づく第一の回転ドラムの回転力を前記第一の伝達ドラムに伝達しないものであり、
前記第二のクラッチユニットは、
前記操作コードの操作に基づいて回転される第二の回転ドラムと、
前記第二の昇降動作部を駆動する第二の伝達ドラムと、
前記第二の回転ドラムの回転を前記第一の伝達ドラムに伝達させる第二のクラッチ部とから構成し、
第二のクラッチ部は、前記操作コードの他方への操作に基づく第二の回転ドラムの回転力を前記第二の伝達ドラムに伝達可能とし、前記操作コードの一方への操作に基づく第二の回転ドラムの回転力を前記第二の伝達ドラムに伝達しないものであり、
前記第一及び第二のクラッチ部は、
シャフトに回転可能に支持されたクラッチドラムと、
前記クラッチドラムの外周面に形成された案内溝と、
前記案内溝に沿って移動するクラッチボールと、
前記クラッチドラムから作用する回転力に基づく該クラッチドラムの回転を阻止するとともに、前記第一若しくは第二の回転ドラムから作用する回転力に基づいて、該第一若しくは第二の回転ドラムとクラッチドラムとを一体に回転させるストップバネとから構成し、
前記案内溝は、前記第一若しくは第二の回転ドラムの回転力をクラッチボールを介して第一若しくは第二の伝達ドラムに伝達可能とする係合溝と、第一若しくは第二の伝達ドラムを第一若しくは第二の回転ドラムに対し自在に回転可能とする解除溝とから構成し、
前記第一の回転ドラムの回転力が前記クラッチボールを介して第一の伝達ドラムに伝達されているときは、第二の回転ドラムの回転力は第二の伝達ドラムに伝達されることはなく、前記第二の回転ドラムの回転力が前記クラッチボールを介して第二の伝達ドラムに伝達されているときは、第一の回転ドラムの回転力は第一の伝達ドラムに伝達されることはないことを特徴とする日射遮蔽材昇降装置。
【請求項５】
第一及び第二の日射遮蔽材を吊下支持し、一本の無端状の操作コードを操作して、第一及び第二のクラッチユニットを介して第一及び第二の昇降動作部を動作させることにより、前記第一及び第二の日射遮蔽材を独立して昇降可能とした日射遮蔽材昇降装置において、
前記第一のクラッチユニットは、
前記操作コードの操作に基づいて回転される第一の回転ドラムと、
前記第一の昇降動作部を駆動する第一の伝達ドラムと、
前記第一の回転ドラムの回転を前記第一の伝達ドラムに伝達させる第一のクラッチ部とから構成し、
第一のクラッチ部は、前記操作コードの一方への操作に基づく第一の回転ドラムの回転力を前記第一の伝達ドラムに伝達可能とし、前記操作コードの他方への操作に基づく第一の回転ドラムの回転力を前記第一の伝達ドラムに伝達しないものであり、
前記第二のクラッチユニットは、
前記操作コードの操作に基づいて回転される第二の回転ドラムと、
前記第二の昇降動作部を駆動する第二の伝達ドラムと、
前記第二の回転ドラムの回転を前記第二の伝達ドラムに伝達させる第二のクラッチ部とから構成し、
第二のクラッチ部は、前記操作コードの他方への操作に基づく第二の回転ドラムの回転力を前記第二の伝達ドラムに伝達可能とし、前記操作コードの一方への操作に基づく第二の回転ドラムの回転力を前記第二の伝達ドラムに伝達しないものであり、
前記第一及び第二のクラッチ部は、
シャフトに回転可能に支持されたクラッチドラムと、
前記クラッチドラムの外周面に形成された案内溝と、
前記第一若しくは第二の回転ドラムに形成され、前記案内溝に沿って移動するクラッチ凸部と、
前記クラッチドラムから作用する回転力に基づく該クラッチドラムの回転を阻止するとともに、前記第一若しくは第二の伝達ドラムから作用する回転力に基づいて、該第一若しくは第二の回転ドラムとクラッチドラムとを一体に回転させるストップバネとから構成し、
前記案内溝は、第一若しくは第二の伝達ドラムを前記第一若しくは第二の回転ドラムに係合させる位置に移動させる係合溝と、第一若しくは第二の伝達ドラムを前記第一若しくは第二の回転ドラムに対し自在に回転可能とする解除溝とから構成し、
前記第一の回転ドラムの回転力が前記クラッチ凸部を介して第一の伝達ドラムに伝達されているときは、第二の回転ドラムの回転力は第二の伝達ドラムに伝達されることはなく、前記第二の回転ドラムの回転力が前記クラッチ凸部を介して第二の伝達ドラムに伝達されているときは、第一の回転ドラムの回転力は第一の伝達ドラムに伝達されることはないことを特徴とする日射遮蔽材昇降装置。
【請求項６】
ヘッドボックスから第一及び第二の日射遮蔽材を吊下支持し、前記ヘッドボックスから垂下される一本の無端状の操作コードを操作して、第一及び第二の昇降動作部を動作させることにより、前記第一及び第二の日射遮蔽材を独立して昇降可能とした日射遮蔽材昇降装置において、
前記第一及び第二の日射遮蔽材の自重降下を阻止して該日射遮蔽材が降下しない状態と、自重降下を許容して該日射遮蔽材が降下する状態とを選択可能とした第一及び第二のストッパーユニットと、
前記操作コードの一方への操作により、前記第一の昇降動作部及び第一のストッパーユニットを作動させて、前記第二の日射遮蔽材を昇降することなく前記第一の日射遮蔽材の引き上げ動作と、自重による下降動作と、自重による下降動作を止める自重降下防止動作とを選択可能とする第一のクラッチユニットと、
前記操作コードの他方への操作により、前記第二の昇降動作部及び第二のストッパーユニットを作動させて、前記第一の日射遮蔽材を昇降することなく前記第二の日射遮蔽材の引き上げ動作と、自重による下降動作と、自重による下降動作を止める自重降下防止動作とを選択可能とする第二のクラッチユニットとを備え、
前記第一のクラッチユニットは、
前記操作コードの操作に基づいて回転される第一の回転ドラムと、
前記第一の昇降動作部を駆動する第一の伝達ドラムと、
前記第一の回転ドラムの回転を前記第一の伝達ドラムに伝達する第一のクラッチ部とから構成し、
前記第一のクラッチ部は、前記操作コードの一方への操作に基づく第一の回転ドラムの回転力を前記第一の伝達ドラムに伝達可能とし、前記第一の日射遮蔽材の自重降下に基づいて前記第一の伝達ドラムが回転されるとき、該伝達ドラムを第一の回転ドラムと切り離して自在に回転可能とし、
前記第二のクラッチユニットは、
前記操作コードの操作に基づいて回転される第二の回転ドラムと、
前記第二の昇降動作部を駆動する第二の伝達ドラムと、
前記第二の回転ドラムの回転を前記第二の伝達ドラムに伝達する第二のクラッチ部とから構成し、
前記第二のクラッチ部は、前記操作コードの他方への操作に基づく第二の回転ドラムの回転力を前記第二の伝達ドラムに伝達可能とし、前記第二の日射遮蔽材の自重降下に基づいて前記第二の伝達ドラムが回転されるとき、該伝達ドラムを第二の回転ドラムと切り離して自在に回転可能とし、
前記第一及び第二のストッパーユニットは、前記第一及び第二の昇降動作部が第一及び第二の日射遮蔽材引き上げ方向に作動するときはその方向の動作を常に許容し、前記第一及び第二の昇降動作部が第一及び第二の日射遮蔽材下降方向に作動するときは日射遮蔽材の下降を阻止する状態と下降を許容する状態とを選択可能であり、
前記操作コードの操作に基づいて前記第一及び第二の回転ドラムに回転を伝達する第一及び第二の伝達ギヤと第一及び第二の回転ドラムとは、所定角度の空転領域を有することを特徴とする日射遮蔽材昇降装置。
【手続補正２】
【補正対象書類名】明細書
【補正対象項目名】００１０
【補正方法】変更
【補正の内容】
【００１０】
請求項１では、日射遮蔽材を吊下支持し、一本の無端状の操作コードを操作して、クラッチユニットを介して昇降動作部を動作させることにより、前記日射遮蔽材を昇降可能とした日射遮蔽材昇降装置において、前記クラッチユニットは、前記操作コードの操作に基づいて回転される回転ドラムと、前記昇降動作部を駆動する伝達ドラムと、前記回転ドラムと伝達ドラムに形成された第一及び第二の係合手段と、前記第一及び第二の係合手段に作用して、該第一及び第二の係合手段により前記回転ドラムの回転を前記伝達ドラムに伝達させるクラッチ部とを備え、前記クラッチ部を、前記回転ドラム及び伝達ドラムの軸方向に移動可能に設け、付勢手段の付勢力により、前記クラッチ部を前記回転ドラムの回転が前記伝達ドラムに伝達される位置に弾性的に保持して、前記第一及び第二の係合手段と前記クラッチ部との噛み込み時に前記付勢手段の付勢力に抗して前記回転ドラムを移動可能とした。
【手続補正３】
【補正対象書類名】明細書
【補正対象項目名】００１１
【補正方法】変更
【補正の内容】
【００１１】
請求項２では、前記第一の係合手段は、前記回転ドラムに設けた駆動係止歯とし、前記第二の係合手段は、前記伝達ドラムに設けた被動係止歯とし、前記クラッチ部は、軸方向に移動可能に支持されたクラッチドラムに形成された案内溝と、前記回転ドラムに形成され、前記案内溝に沿って移動するクラッチ凸部とで構成し、前記付勢手段により前記駆動係止歯と被動係止歯との噛み込み時に前記付勢手段の付勢力に抗して前記回転ドラムを移動可能とした。
【手続補正４】
【補正対象書類名】明細書
【補正対象項目名】００１２
【補正方法】変更
【補正の内容】
【００１２】
請求項３では、第一及び第二の日射遮蔽材を吊下支持し、一本の無端状の操作コードを操作して、第一及び第二のクラッチユニットを介して第一及び第二の昇降動作部を動作させることにより、前記第一及び第二の日射遮蔽材を独立して昇降可能とした日射遮蔽材昇降装置において、前記第一のクラッチユニットは、前記操作コードの操作に基づいて回転される第一の回転ドラムと、前記第一の昇降動作部を駆動する第一の伝達ドラムと、前記第一の回転ドラムと第一の伝達ドラムに形成された第一及び第二の係合手段と、前記第一及び第二の係合手段に作用して、該第一及び第二の係合手段により前記第一の回転ドラムの回転を前記第一の伝達ドラムに伝達させる第一のクラッチ部とを備え、第一のクラッチ部は、前記操作コードの一方への操作に基づく第一の回転ドラムの回転力を前記第一の伝達ドラムに伝達可能とし、前記操作コードの他方への操作に基づく第一の回転ドラムの回転力を前記第一の伝達ドラムに伝達しないものであり、前記第二のクラッチユニットは、
前記操作コードの操作に基づいて回転される第二の回転ドラムと、前記第二の昇降動作部を駆動する第二の伝達ドラムと、前記第二の回転ドラムと第二の伝達ドラムに形成された第一及び第二の係合手段と、前記第一及び第二の係合手段に作用して、該第一及び第二の係合手段により前記第二の回転ドラムの回転を前記第一の伝達ドラムに伝達させる第二のクラッチ部とを備え、第二のクラッチ部は、前記操作コードの他方への操作に基づく第二の回転ドラムの回転力を前記第二の伝達ドラムに伝達可能とし、前記操作コードの一方への操作に基づく第二の回転ドラムの回転力を前記第二の伝達ドラムに伝達しないものであり、前記各クラッチ部を、前記各回転ドラム及び各伝達ドラムの軸方向に移動可能に設け、付勢手段の付勢力により、前記各クラッチ部を前記各回転ドラムの回転が前記各伝達ドラムに伝達される位置に弾性的に保持して、前記第一及び第二の係合手段と前記各クラッチ部との噛み込み時に前記付勢手段の付勢力に抗して前記各回転ドラムを移動可能とした。
【手続補正５】
【補正対象書類名】明細書
【補正対象項目名】００１３
【補正方法】変更
【補正の内容】
【００１３】
請求項４では、第一及び第二の日射遮蔽材を吊下支持し、一本の無端状の操作コードを操作して、第一及び第二のクラッチユニットを介して第一及び第二の昇降動作部を動作させることにより、前記第一及び第二の日射遮蔽材を独立して昇降可能とした日射遮蔽材昇降装置において、前記第一のクラッチユニットは、前記操作コードの操作に基づいて回転される第一の回転ドラムと、前記第一の昇降動作部を駆動する第一の伝達ドラムと、前記第一の回転ドラムの回転を前記第一の伝達ドラムに伝達させる第一のクラッチ部とから構成し、第一のクラッチ部は、前記操作コードの一方への操作に基づく第一の回転ドラムの回転力を前記第一の伝達ドラムに伝達可能とし、前記操作コードの他方への操作に基づく第一の回転ドラムの回転力を前記第一の伝達ドラムに伝達しないものであり、前記第二のクラッチユニットは、前記操作コードの操作に基づいて回転される第二の回転ドラムと、前記第二の昇降動作部を駆動する第二の伝達ドラムと、前記第二の回転ドラムの回転を前記第一の伝達ドラムに伝達させる第二のクラッチ部とから構成し、第二のクラッチ部は、前記操作コードの他方への操作に基づく第二の回転ドラムの回転力を前記第二の伝達ドラムに伝達可能とし、前記操作コードの一方への操作に基づく第二の回転ドラムの回転力を前記第二の伝達ドラムに伝達しないものであり、前記第一及び第二のクラッチ部は、シャフトに回転可能に支持されたクラッチドラムと、前記クラッチドラムの外周面に形成された案内溝と、前記案内溝に沿って移動するクラッチボールと、前記クラッチドラムから作用する回転力に基づく該クラッチドラムの回転を阻止するとともに、前記第一若しくは第二の回転ドラムから作用する回転力に基づいて、該第一若しくは第二の回転ドラムとクラッチドラムとを一体に回転させるストップバネとから構成し、前記案内溝は、前記第一若しくは第二の回転ドラムの回転力をクラッチボールを介して第一若しくは第二の伝達ドラムに伝達可能とする係合溝と、第一若しくは第二の伝達ドラムを第一若しくは第二の回転ドラムに対し自在に回転可能とする解除溝とから構成し、前記第一の回転ドラムの回転力が前記クラッチボールを介して第一の伝達ドラムに伝達されているときは、第二の回転ドラムの回転力は第二の伝達ドラムに伝達されることはなく、前記第二の回転ドラムの回転力が前記クラッチボールを介して第二の伝達ドラムに伝達されているときは、第一の回転ドラムの回転力は第一の伝達ドラムに伝達されることはない。
【手続補正６】
【補正対象書類名】明細書
【補正対象項目名】００１４
【補正方法】変更
【補正の内容】
【００１４】
請求項５では、第一及び第二の日射遮蔽材を吊下支持し、一本の無端状の操作コードを操作して、第一及び第二のクラッチユニットを介して第一及び第二の昇降動作部を動作させることにより、前記第一及び第二の日射遮蔽材を独立して昇降可能とした日射遮蔽材昇降装置において、前記第一のクラッチユニットは、前記操作コードの操作に基づいて回転される第一の回転ドラムと、前記第一の昇降動作部を駆動する第一の伝達ドラムと、前記第一の回転ドラムの回転を前記第一の伝達ドラムに伝達させる第一のクラッチ部とから構成し、第一のクラッチ部は、前記操作コードの一方への操作に基づく第一の回転ドラムの回転力を前記第一の伝達ドラムに伝達可能とし、前記操作コードの他方への操作に基づく第一の回転ドラムの回転力を前記第一の伝達ドラムに伝達しないものであり、前記第二のクラッチユニットは、前記操作コードの操作に基づいて回転される第二の回転ドラムと、前記第二の昇降動作部を駆動する第二の伝達ドラムと、前記第二の回転ドラムの回転を前記第二の伝達ドラムに伝達させる第二のクラッチ部とから構成し、第二のクラッチ部は、前記操作コードの他方への操作に基づく第二の回転ドラムの回転力を前記第二の伝達ドラムに伝達可能とし、前記操作コードの一方への操作に基づく第二の回転ドラムの回転力を前記第二の伝達ドラムに伝達しないものであり、前記第一及び第二のクラッチ部は、シャフトに回転可能に支持されたクラッチドラムと、前記クラッチドラムの外周面に形成された案内溝と、前記第一若しくは第二の回転ドラムに形成され、前記案内溝に沿って移動するクラッチ凸部と、前記クラッチドラムから作用する回転力に基づく該クラッチドラムの回転を阻止するとともに、前記第一若しくは第二の伝達ドラムから作用する回転力に基づいて、該第一若しくは第二の回転ドラムとクラッチドラムとを一体に回転させるストップバネとから構成し、前記案内溝は、第一若しくは第二の伝達ドラムを前記第一若しくは第二の回転ドラムに係合させる位置に移動させる係合溝と、第一若しくは第二の伝達ドラムを前記第一若しくは第二の回転ドラムに対し自在に回転可能とする解除溝とから構成し、前記第一の回転ドラムの回転力が前記クラッチ凸部を介して第一の伝達ドラムに伝達されているときは、第二の回転ドラムの回転力は第二の伝達ドラムに伝達されることはなく、前記第二の回転ドラムの回転力が前記クラッチ凸部を介して第二の伝達ドラムに伝達されているときは、第一の回転ドラムの回転力は第一の伝達ドラムに伝達されることはない。
また、請求項６では、ヘッドボックスから第一及び第二の日射遮蔽材を吊下支持し、前記ヘッドボックスから垂下される一本の無端状の操作コードを操作して、第一及び第二の昇降動作部を動作させることにより、前記第一及び第二の日射遮蔽材を独立して昇降可能とした日射遮蔽材昇降装置において、前記第一及び第二の日射遮蔽材の自重降下を阻止して該日射遮蔽材が降下しない状態と、自重降下を許容して該日射遮蔽材が降下する状態とを選択可能とした第一及び第二のストッパーユニットと、前記操作コードの一方への操作により、前記第一の昇降動作部及び第一のストッパーユニットを作動させて、前記第二の日射遮蔽材を昇降することなく前記第一の日射遮蔽材の引き上げ動作と、自重による下降動作と、自重による下降動作を止める自重降下防止動作とを選択可能とする第一のクラッチユニットと、前記操作コードの他方への操作により、前記第二の昇降動作部及び第二のストッパーユニットを作動させて、前記第一の日射遮蔽材を昇降することなく前記第二の日射遮蔽材の引き上げ動作と、自重による下降動作と、自重による下降動作を止める自重降下防止動作とを選択可能とする第二のクラッチユニットとを備え、前記第一のクラッチユニットは、前記操作コードの操作に基づいて回転される第一の回転ドラムと、前記第一の昇降動作部を駆動する第一の伝達ドラムと、
前記第一の回転ドラムの回転を前記第一の伝達ドラムに伝達する第一のクラッチ部とから構成し、前記第一のクラッチ部は、前記操作コードの一方への操作に基づく第一の回転ドラムの回転力を前記第一の伝達ドラムに伝達可能とし、前記第一の日射遮蔽材の自重降下に基づいて前記第一の伝達ドラムが回転されるとき、該伝達ドラムを第一の回転ドラムと切り離して自在に回転可能とし、前記第二のクラッチユニットは、前記操作コードの操作に基づいて回転される第二の回転ドラムと、前記第二の昇降動作部を駆動する第二の伝達ドラムと、前記第二の回転ドラムの回転を前記第二の伝達ドラムに伝達する第二のクラッチ部とから構成し、前記第二のクラッチ部は、前記操作コードの他方への操作に基づく第二の回転ドラムの回転力を前記第二の伝達ドラムに伝達可能とし、前記第二の日射遮蔽材の自重降下に基づいて前記第二の伝達ドラムが回転されるとき、該伝達ドラムを第二の回転ドラムと切り離して自在に回転可能とし、前記第一及び第二のストッパーユニットは、前記第一及び第二の昇降動作部が第一及び第二の日射遮蔽材引き上げ方向に作動するときはその方向の動作を常に許容し、前記第一及び第二の昇降動作部が第一及び第二の日射遮蔽材下降方向に作動するときは日射遮蔽材の下降を阻止する状態と下降を許容する状態とを選択可能であり、前記操作コードの操作に基づいて前記第一及び第二の回転ドラムに回転を伝達する第一及び第二の伝達ギヤと第一及び第二の回転ドラムとは、所定角度の空転領域を有する。